(57)【特許請求の範囲】
【請求項１】
水勾配を有した屋根面構造材の上側に設置される手摺の取付構造であって、
複数の支持基礎体と、これら複数の支持基礎体間に掛け渡される横材と、この横材上に立設される支柱とを備え、
前記複数の支持基礎体は、第１の支持基礎体および第２の支持基礎体を少なくとも備え、
前記第１の支持基礎体は、屋根面構造材の上面に固定されるベースプレートと、このベースプレートから立ち上がる第１の立上部材と、この第１の立上部材の上端に略水平に固定される第１の支持面材とを有して構成され、
前記第２の支持基礎体は、前記屋根面構造材の上面よりも下側に位置する支持梁から立ち上がる第２の立上部材と、この第２の立上部材の上端に略水平に固定される第２の支持面材とを有して構成され、
前記第１および第２の支持面材が同一高さ位置となるように前記第１および第２の立上部材の高さ寸法が設定されている
ことを特徴とする手摺の取付構造。
【請求項２】
請求項１に記載の手摺の取付構造において、
前記屋根面構造材上に設けられた第１の防水材の上面に前記第１の支持基礎体のベースプレートが載置されるとともに、第１防水材の上面からベースプレートの上面に連続する第２防水材が設けられている
ことを特徴とする手摺の取付構造。
【請求項３】
請求項１または請求項２に記載の手摺の取付構造において、
前記支持梁は、建物ユニットの天井梁または屋根ユニットの梁である
ことを特徴とする手摺の取付構造。
【請求項４】
請求項１から請求項３のいずれかに記載の手摺の取付構造において、
前記第１の立上部材の側部と、前記第２の立上部材の側部とに掛け渡されるサイディング材を備え、
前記第２の防水材は、前記ベースプレートの上面から前記サイディング材の外側部全体を覆うように連続して設けられた
ことを特徴とする手摺の取付構造。
【発明の詳細な説明】
【技術分野】
【０００１】
本発明は、手摺の取付構造に関する。
【背景技術】
【０００２】
従来、建物の構造材の設置位置に関係なく手摺を構成する複数の支柱を所望の位置に立設することを可能とする手摺の取付構造が提案されている（例えば、特許文献１参照）
【０００３】
特許文献１には、建物ユニットの天井梁間に架設した中間梁上に支持台を複数配置し、これら支持台上に横架材、いわゆる大引を設け、この横架材上に複数の支柱を立設する点が示されている。また、中間梁は天井梁と同じ高さ位置に設けられており、支持台はそれぞれ同じ高さ位置で複数並設されている。
【０００４】
【特許文献１】特開２００２−８１１８５号公報
【発明の開示】
【発明が解決しようとする課題】
【０００５】
しかしながら、特許文献１に記載のような手摺の取付構造では、手摺の支柱を支持する支持台の直下に中間梁が必要となり、屋根上における手摺の平面配置に合わせて建物ユニットに中間梁を架設しておかなければならない。
また、一般的に、建物ユニットの上部に水勾配を有する屋根面構造材を設ける構成も知られている。この構成では、高さレベルの異なる中間梁を複数設けて、これらの中間梁に屋根面構造材を載置して水勾配を設ける。
しかしながら、水勾配を有する屋根面構造材に特許文献１に記載のような支持台を用いて手摺を取り付ける場合では、中間梁の高さ位置が異なるので、支持台のほかに新たに横架材の高さ位置調整部材を設けて、横架材を水平にしなければならない。このように、新たな部材が必要になるので、屋根ユニットの構造が複雑になり、製造コストが増大するという問題がある。
【０００６】
本発明の目的は、製造コストを抑えて、簡単な建物ユニットの構造で、手摺を取付可能な取付構造を提供することである。
【課題を解決するための手段】
【０００７】
本発明の手摺の取付構造は、図面を参照して説明すると、水勾配を有した屋根面構造材１９の上側に設置される手摺２０の取付構造であって、複数の支持基礎体２１Ａ，２１Ｂ，２２，２３と、これら複数の支持基礎体間に掛け渡される横材２４と、この横材上に立設される支柱２５とを備え、前記複数の支持基礎体は、第１の支持基礎体２１Ａ、２１Ｂおよび第２の支持基礎体２２を少なくとも備え、前記第１の支持基礎体は、前記屋根面構造材の上面に固定されるベースプレート２１２と、このベースプレートから立ち上がる第１の立上部材２１３と、この第１の立上部材の上端に略水平に固定される第１の支持面材２１４とを有して構成され、前記第２の支持基礎体は、前記屋根面構造材の上面よりも下側に位置する支持梁１８から立ち上がる第２の立上部材２２３と、この第２の立上部材２２３の上端に略水平に固定される第２の支持面材２２４とを有して構成され、前記第１および第２の支持面材が同一高さ位置となるように前記第１および第２の立上部材の高さ寸法が設定されていることを特徴とする。
この発明によれば、第１の支持基礎体を例えば、ＡＬＣなどの屋根面構造材上に設置することで、第１の支持基礎体を支持する支持梁が省略でき、建物ユニットの構造を簡単にすることができる。屋根面構造材の上面にベースプレートを固定することで、屋根面構造材を立上部材で貫通する必要がなくなり、強度あるいは防水性能が有利になる。また、第２の支持基礎体を含むことで、手摺全体の強度が確保できる。
また、第１および第２の支持面材が同一高さ位置となるように第１および第２の立上部材の高さ寸法が設定されている、すなわち、第１および第２の支持基礎体の配置位置によって、第１および第２の立上部材の高さ寸法を変化させることができる。
例えば、屋根面構造材は水勾配を有しているので、屋根面構造材の下方側に第１の支持基礎体を配設すれば、第１の立上部材の高さ寸法を比較的に大きく設定し、一方、屋根面構造材の上方側に第１の支持基礎体を配設すれば、第１の立上部材の高さ寸法を比較的に小さく設定する。
また、例えば、比較的に上方に位置する中間梁に第２の支持基礎体を配設すれば、第２の立上部材の高さ寸法を比較的に小さく設定し、一方、比較的に下方に位置する中間梁に第２の支持基礎体を配設すれば、第２の立上部材の高さ寸法を比較的に大きく設定する。
このように、屋根面構造材の水勾配の傾斜角度や中間梁の高さ位置に応じて、第１および第２の立上部材の高さ寸法を変化させて製造することができるので、横材を水平に保つために第１および第２の支持基礎体のほかに新たな部材を設ける必要が無い。したがって、屋根ユニットおよび建物ユニットの構造が簡単になり製造コストを抑えることができる。
【０００８】
この際、前記屋根面構造材上に設けられた第１の防水材２１１の上面に前記第１の支持基礎体のベースプレートが載置されるとともに、第１の防水材の上面からベースプレートの上面に連続する第２の防水材２１５が設けられている構成が好ましい。
この構成の発明では、例えば、第１および第２の防水シートなどの第１および第２の防水材が設けられているので、屋根面構造材の下側、例えば、屋根面構造材を載置した建物ユニットの内部に浸水するという不都合を防止でき、防水性能を向上することができる。
また、第１の防水材の上面からベースプレートの上面に連続する第２の防水材が設けられているので、第１の防水材とベースプレートとの隙間から浸水するという不都合を防止することができる。
【０００９】
さらに、前記支持梁は、建物ユニットの天井梁１６２または屋根ユニット１７の梁１７１である構成が好ましい。
この構成の発明では、建物ユニットの天井梁または屋根ユニットの梁が第２の立上部材を支持するので、例えば、第２の立上部材を支持するための中間梁を別途設ける必要がなく、さらに建物ユニットの構造を簡単にすることができ、製造コストの低減も図ることができる。
【００１０】
また、前記第１の立上部材の側部と、前記第２の立上部材の側部とに掛け渡される内側サイディング材２１３Ａを備え、前記第２の防水材は、前記ベースプレートの上面から前記内側サイディング材の外側部全体を覆うように連続して設けられた構成が好ましい。
この構成の発明では、ベースプレートの上面から内側サイディング材の外側部に第２の防水材が連続して設けられた、すなわち、ベースプレートの上面から内側サイディング材の外側部に第２の防水材が凹状に連続して設けられたから、第１および第２の支持基礎体の浸水による錆など発生を防止でき、優れた防水性を確保することができる。
また、第２の防水材は、内側サイディング材の外側部全体を覆うように設けられているので、サイディングが外部の熱により膨張をすることを抑制することもできる。
【発明を実施するための最良の形態】
【００１１】
以下に本発明の実施形態を図面に基づいて説明する。
図１は、本発明の実施形態であるユニット式建物を簡略化して示す全体斜視図である。図２は、第１の支持基礎体と、第２の支持基礎体と、第３の支持基礎体との位置関係を示す断面図である。図３は、第１の支持基礎体を示す断面図である。図４は、第１の支持基礎体と支柱との関係を示す斜視図である。図５は、第２の支持基礎体を示す断面図である。図６は、第３の支持基礎体を示す断面図である。
【００１２】
図１には、本発明の一実施形態に係る手摺の取付構造が採用されたユニット式建物１が示されている。ユニット式建物１は、工場で生産された複数の１階建物ユニット１１を建築現場の基礎１０上で水平方向に配置し、各１階建物ユニット１１上に同様な２階建物ユニット１２を配置し、さらにいくつかの２階建物ユニット１２上に同様な３階建物ユニット１３を配置することで建てられている。３階建物ユニットが配置されていない２階建物ユニット１２の上部には、陸屋根１４が設けられている。３階建物ユニット１３の上方には、図示しない勾配屋根が設けられている。３階建物ユニット１３の側壁には、陸屋根１４に出入りするための出入り口１５が形成されている。陸屋根１４には、手摺２０が複数の２階建物ユニット１２にまたがって設置されている。陸屋根１４の外周には、外周立上部１４Ａが立設されている。
各建物ユニット１１，１２，１３は、略箱状に形成されており、図２に示すような四隅に立設された４本の柱１６１と、これら各柱１６１の上端間および下端間に架設された天井梁１６２および床梁１６３と、天井梁１６２および床梁１６３を柱１６１に連結させるブラケット１６４とを備えている。つまり、これら柱１６１、天井梁１６２、床梁１６３によってユニット式建物１の躯体が構成されている。また、各建物ユニット１１，１２，１３には、図示しない天井面、図示しない床面材、図示しない内壁および外壁１６５が適宜取り付けられて、各建物ユニット１１，１２，１３が完成するようになっている。
【００１３】
また、図２に示すように、２階建物ユニット１２上には、屋根ユニット１７が設けられている。屋根ユニット１７は、枠状の四周の梁１７１と、この四周の梁１７１上に配置される中間梁１８と、中間梁１８および四周の梁１７１により支持される屋根面構造材としてのＡＬＣ１９とにより構成されている。
四周の梁１７１は、２階建物ユニット１２の４本の天井梁１６２と同じ大きさに形成され、天井梁１６２の上部に載置されている。
中間梁１８は、長手方向が天井梁１６２の短辺方向と同方向になるように配設されている。なお、図２では、中間梁１８は、３階建物ユニット１３側に配設されているが、ユニット式建物１の外周立上部１４Ａ側に配設されていてもよい。
ＡＬＣ１９の外周立上部１４Ａ側の一端縁は、四周の梁１７１の上部に支持され、３階建物ユニット１３側の他端縁は、図示しないブラケットを介して四周の梁１７１に支持されている。またＡＬＣ１９の略中央は、中間梁１８に支持されている。これらのことから、ＡＬＣ１９には３階建物ユニット１３側から外周立上部１４Ａに向けて緩やかに傾斜する矢印Ｍ１で示す水勾配がつけられており、第１のＡＬＣ１９上面に溜まる水は、建物１の外周立上部１４Ａから排水される。
【００１４】
手摺２０は、ＡＬＣ１９上に設けられた第１の支持基礎体２１Ａ、２１Ｂと、中間梁１８に立設された第２の支持基礎体２２と、四周の梁１７１に立設された第３の支持基礎体２３とを備える。これら第１から第３の支持基礎体２１Ａ，２１Ｂ，２２，２３には、横材２４が架設されており、横材２４上には支柱２５を支持する支柱支持部材２５１が並設されている。そして、支柱２５の上端には笠木部材２６が取り付けられている。
【００１５】
第１の支持基礎体２１Ａは、ＡＬＣ１９の中央に設けられている。一方、第２の支持基礎体２１Ｂは、第１の支持基礎体２１Ａよりも外周立上部１４Ａ側に設けられている。これら第１の支持基礎体２１Ａ、２１Ｂは、互いに同様の構成を有しているので、図３，４を参照しながら、これら第１の支持基礎体２１Ａ、２１Ｂのうちで代表して第１の支持基礎体２１Ａを説明する。
【００１６】
図３、４に示すように、ＡＬＣ１９の上面の全面には、第１の防水材としての第１の防水シート２１１が接着されており、第１の支持基礎体２１Ａはこの第１の防水シート２１１を介してＡＬＣ１９上に固定される。
第１の支持基礎体２１Ａは、ベースプレート２１２と、ベースプレート２１２に立設された角筒状の第１の立上部材２１３と、これら第１の立上部材２１３の上部開口を塞ぐ第１の支持面材２１４とを有して構成されている。ベースプレート２１２は、第１の防水シート２１１を挟持するように複数のビス２１２Ａにより、ＡＬＣ１９に固定されている。
第１の立上部材２１３の側面には、他の第１の立上部材２１３の側面にまたがって、内側サイディング材２１３Ａが取り付けられている。
【００１７】
第１の支持面材２１４の上面には、平面方向が水平方向となるように平板状の第１の受け材２７が固定されている。そして、第１の受け材２７の上面には、両端部が折曲形成されて横方向へ開口した断面略Ｃ字状の横材２４（大引）が４本並設されている。また、横材２４は、第１の受け材２７に沿って長尺状に設けられており、２本で１組となっている。１組の横材２４は、互いの端部が重なる状態でボルト２４１により固定されて、断面四角形状に設けられている。
【００１８】
これら横材２４上には、平板状の第２の受け材２８が横材２４上に所定間隔を有しながら複数固定されている。第２の受け材２８は、横材２４にねじにて固定されていても良い。
【００１９】
また、横材２４の側面には、外側サイディング材２４Ａが内側サイディング材２１３Ａに沿って設けられている。この外側サイディング材２４Ａは、内側サイディング材２１３Ａと所定の間隙を有するように横材２４の側部に固定されている。
第２の受け材２８上には、略直方体形状で横材２４よりも小さく形成された支柱支持部材２５１が固定されている。支柱支持部材２５１は、横材２４の長手方向に沿って複数並設されている。横材２４および支柱支持部材２５１は、下方に開口した凹状のカバー２５２によって覆われており、このカバー２５２は、アルミ板材等を折り曲げることで形成されている。
支柱支持部材２５１は、カバー２５２を貫通して、手摺２０を構成する支柱２５を支持している。複数の支柱２５の上端間は、図２に示すように、笠木部材２６によって連結されている。
【００２０】
また、内側サイディング材２１３Ａの上端部から、この内側サイディング材２１３ＡとＡＬＣ１９とでなす角部、ベースプレート２１２の外周端部、およびＡＬＣ１９にかけて第２の防水材としての第２の防水シート２１５が設けられている。この第２の防水シート２１５は、内側サイディング材２１３Ａを覆うように取り付けられている。
また、第２の防水シート２１５と第１の受け材２７の外周部との間および第２の防水シート２１５と外側サイディング材２４Ａの内側面との間にはそれぞれコーキング材２１５Ａが充填されている。コーキング材２１５Ａが充填されることにより、第１の支持基礎体２１Ａ，２１Ｂに浸水することを防止して、第１の支持基礎体２１Ａ，２１Ｂが錆などにより劣化することを防止することができる。
【００２１】
なお、図２に示すように、第１の支持基礎体２１Ｂは第１の支持基礎体２１ＡよりもＡＬＣ１９の下方に配置しているので、第１の支持基礎体２１Ｂの第１の立上部材は、第１の支持基礎体２１Ａの第１の立上部材２１３よりも長さ寸法が大きく設定されている。これにより、第１の支持基礎体２１Ｂにおける第１の支持面材の上面と第１の支持基礎体２１Ａにおける第１の支持面材１２４の上面との高さ位置が同一となるように設定している。
【００２２】
また、図５に示すように、第２の支持基礎体２２は、第１の支持基礎体２１Ａと略同様に、第２の立上部材２２３と第２の支持面材２２４とを備え、第２の立上部材２２３は、
第１の立上部材２１３と同様に角筒状に形成され、ＡＬＣ１９の開口１９Ａを通って中間梁１８に立設されている。第２の立上部材２２３が第１の防水シート２１１を貫通するとともに中間梁１８に直接立設されている構成以外は、第１の支持基礎体２１Ａ，２１Ｂと同様の構成である。
また、第２の立上部材２２３の長さ寸法は、第２の支持面材２２４の上面高さ位置が第１の支持面材２１４の上面の高さ位置と同じになるように設定されている。
【００２３】
また、図６に示すように、第３の支持基礎体２３も、第１の支持基礎体２１Ａと略同様に、第３の立上部材２３３と第３の支持面材２３４とを備え、第２の立上部材２３３は、ＡＬＣ１９の開口１９Ａを介して四周の梁１７１に立設されている。第３の立上部材２３３が第１の防水シート２１１の切欠きを通って四周の梁１７１に立設されている構成以外は、第１の支持基礎体２１Ａと同様の構成である。
また、第３の立上部材２３３の長さ寸法は、第３の支持面材２３４の上面の高さ位置が第１の支持基礎体２１Ａにおける第１の支持面材２１４の上面の高さ位置と同じになるように設定されている。
つまり、第１の支持面材２１４の上面と第２の支持面材２２４の上面と第３の支持面材２３４の上面とは、同一高さ位置となるように設定されている。
【００２４】
次に、本実施形態における手摺２０の取り付け方を説明する。
まず、中間梁１８上に第２の支持基礎体２２を載置して固定するとともに、四周の梁１７１上に第３の支持基礎体２３を載置して固定する。
次に、四周の梁１７１、中間梁１８および天井梁１６２上のブラケットにＡＬＣ１９を載置する。そして、ＡＬＣ１９の上面であって、中間梁１８および四周の梁１７１と異なる位置には、第１の防水シート２１１を介して第１の支持基礎体２１Ａ，２１Ｂを載置する。そして、ＡＬＣ１９にビス２１２Ａにより第１の支持基礎体２１Ａ，２１Ｂを固定する。この際、第１の支持基礎体２１Ａ，２１Ｂは、所定のピッチで複数配置する。また、第１の支持面材２１４の上面と第２の支持面材２２４の上面と第３の支持面材２３４の上面とは、同一高さ位置となるように設定する。
そして、第１〜第３の支持基礎体２１Ａ，２１Ｂ，２２、２３に、それぞれ第１の受け材２７と、横材２４とを順に載置し、ボルト２４１にて固定する。そして、横材２４上に第２の受け材２８を固定する。
ついで、支柱２５を予め取り付けておいた支柱支持部材２５１を第２の受け材２８に固定する。この後、カバー２５２に支柱２５を通して、カバー２５２を横材２４および支柱支持部材２５１にかぶせる。そして、笠木部材２６を支柱２５上端に取り付ける。
【００２５】
上述のような本実施形態によれば、次のような作用効果を奏することができる。
(１)第１の支持基礎体２１Ａ，２１ＢをＡＬＣ１９上に設置することで、第１の支持基礎体２１Ａ，２１Ｂを支持する中間梁あるいは天井梁が省略でき、建物ユニット１２の構造を簡単にすることができる。ＡＬＣ１９の上面にベースプレート２１２を固定することで、ＡＬＣ１９を第１の立上部材２１３で貫通する必要がなくなり、強度あるいは防水性能が有利になる。また、第２および第３の支持基礎体２２，２３を並設することで、手摺２０全体の強度が確保できる。
さらに、第１の支持基礎体２１Ａにおける第１の支持面材２１４の上面と、第１の支持基礎体２１Ｂにおける第１の支持面材の上面とが同じ高さ位置になるように、第１の支持基礎体２１Ａの第１の立上部材２１３と、第１の支持基礎体２１Ｂの立上部材との長さ寸法を設定する。また、第１〜第３の支持面材２１４，２２４，２３４の上面がそれぞれ同一高さ位置となるように第１〜第３の立上部材２１３，２２３，２３３の高さ寸法を設定する。
このため、第１〜第３の支持基礎体２１Ａ，２１Ｂ，２２、２３の配設位置やＡＬＣ１９の水勾配の傾斜角度に応じて、第１〜第３の立上部材２１３，２２３、２３３の高さ寸法を変化させて設計することができる。したがって、横材２４を水平に保つために、第１〜第３の支持基礎体２１Ａ，２１Ｂ，２２、２３のほかに新たな部材を設ける必要ないから、屋根ユニットおよび建物ユニットの構造が簡単になり製造コストを抑えることができる。
【００２６】
(２)また、第１〜第３の支持基礎体２１Ａ，２１Ｂ，２２，２３において、第１の受け材２７の外周部と外側サイディング材２４Ａの内側面とにそれぞれコーキング材２１５Ａを充填した。
外部から視認することができない位置にコーキング材２１５Ａを充填したので、第１〜第３の支持基礎体２１Ａ，２１Ｂ、２２，２３および手摺２０の外観を向上させることができる。
【００２７】
(３)そして、第１の防水シート２１１の上面にベースプレート２１２を載置させるとともに、第１の防水シート２１１の上面からベースプレート２１２の上面に連続する第２の防水シート２１５を設けている。
このため、第１および第２の防水シート２１１、２１５を設けているので、ＡＬＣ１９を載置した２階建物ユニット１２の内部に浸水するという不都合を十分に防止できる。
また、第１の防水シート２１１の上面からベースプレート２１２の上面に連続する第２の防水シート２１５が設けられているので、第１の防水シート２１１とベースプレート２１２との隙間から浸水するという不都合を防止することができる。
【００２８】
(４)さらに、四周の梁１７１に第３の支持基礎体２３を立設した。
このため、第３の支持基礎体２３を支持するための中間梁を別途設ける必要がなく、２階建物ユニット１２の構造を簡単にすることができ、製造コストの低減も図ることができる。
【００２９】
(５)一の第１〜第３の立上部材２１３，２２３，２３３の側部と、他の第１〜第３の立上部材２１３，２２３，２３３の側部とに掛け渡される内側サイディング材２１３Ａを設け、内側サイディング材２１３Ａを覆うようにベースプレート２１２の上面に第２の防水シート２１５を連続して設けている。
このため、ベースプレート２１２の上面から内側サイディング材２１３Ａに第２の防水シート２１５を連続して設けた、すなわち、ベースプレート２１２の上面から内側サイディング材２１３Ａに第２の防水シート２１５を凹状に連続して設けたので、第１および第２の支持基礎体２１Ａ，２１Ｂ，２２への浸水による錆の発生などの不都合を防止でき、優れた防水性を確保することができる。
また、内側サイディング材２１３Ａを覆うように第２の防水シート２１５を防熱部材として設けたので、内側サイディング材２１３Ａに外部からの熱が加わって熱膨張するという不都合を防止することができる。
【００３０】
その他、本発明の実施の際の具体的な構造および手順は、本発明の目的を達成できる範囲で他の構造などに適宜変更できる。
【産業上の利用可能性】
【００３１】
本発明は、手摺構造を有するユニット式建物に利用できる。
【図面の簡単な説明】
【００３２】
【図１】本発明の実施形態であるユニット式建物を簡略化して示す全体斜視図。
【図２】第１の支持基礎体と、第２の支持基礎体と、第３の支持基礎体との位置関係を示す断面図。
【図３】第１の支持基礎体を示す断面図。
【図４】第１の支持基礎体と支柱との関係を示す断面図。
【図５】第２の支持基礎体を示す断面図。
【図６】第３の支持基礎体を示す断面図。
【符号の説明】
【００３３】
１９              屋根面構造材としてのＡＬＣ
２０              手摺
２１Ａ，２１Ｂ    第１の支持基礎体
２２              第２の支持基礎体
２３              第３の支持基礎体
２４              横材
２５              支柱
２１１            第１の防水材としての第１の防水シート
２１２            ベースプレート
２１３            第１の立上部材
２１４            第１の支持面材
２１３Ａ          内側サイディング材
２１５            第２の防水材としての第２の防水シート
２２３            第２の立上部材
２２４            第２の支持面材
２３３            第３の立上部材
２３４            第３の支持面材
【図１】
0005123722.tif 000002
【図２】
0005123722.tif 000003
【図３】
0005123722.tif 000004
【図４】
0005123722.tif 000005
【図５】
0005123722.tif 000006
【図６】
0005123722.tif 000007